(57)【要約】【課題】電池を電源とし、人体感知センサにより人の存在を検出したときに、明るさセンサにより検出された明るさに応じた信号を照明装置に向けて送信する無線送信装置において、電池の消耗を低減する。【解決手段】明るさセンサ３５による明るさ検知のタイミングを制御するタイミング制御部３１と、明るさセンサ３５により検知された明るさを記憶する記憶部３２と、現在時刻をカウントする計時部３３と、第１時刻及び第２時刻を入力するための操作部２７と、人体感知センサ３５が人の存在を検知したときに、記憶部３２に記憶されている直前の明るさに対応する所定の信号を無線により送信する無線信号送信部２５を備え、タイミング制御部３１は、現在時刻が第１時刻及び前記第２時刻になったときに、明るさセンサによる明るさを検知するタイミングを変化させる。【選択図】図３
2011204631.tif 000002
【特許請求の範囲】
【請求項１】
電池を電源とし、人体感知センサにより人の存在を検出したときに、明るさセンサにより検出された明るさに応じた信号を照明装置に向けて送信する無線送信装置であって、
第１領域内に人の存在を検知するための人体感知センサと、
前記第１領域の少なくとも一部を含む第２領域の明るさを検知する明るさセンサと、
前記明るさセンサにより前記第２領域の明るさを検知するタイミングを制御するタイミング制御部と、
前記明るさセンサにより検知された前記第２領域の明るさを記憶する記憶部と、
現在時刻をカウントする計時部と、
少なくとも第１時刻及び第２時刻を入力するための操作部と、
前記人体感知センサが前記第１領域内に人の存在を検知したときに、前記記憶部に記憶されている直前の前記第２領域の明るさに対応する所定の信号を無線により送信する無線信号送信部を備え、
前記タイミング制御部は、現在時刻が前記操作部により入力された前記第１時刻及び前記第２時刻になったときに、前記明るさセンサにより前記第２領域の明るさを検知するタイミングを変化させることを特徴とする無線送信装置。
【請求項２】
前記タイミング制御部は、前記第１時刻から前記第２時刻までの間、第１間隔で前記明るさセンサにより前記第２領域の明るさを検知するタイミングを制御し、前記第２時刻から翌日の第１時刻までの間、前記第１間隔よりも長い第２間隔で前記明るさセンサにより前記第２領域の明るさを検知するタイミングを制御することを特徴とする請求項１に記載の無線送信装置。
【請求項３】
前記操作部は、さらに第３時刻及び第４時刻の入力が可能であり、前記タイミング制御部は、前記第３時刻から前記第４時刻までの間、前記第１間隔又は前記第２間隔とは異なる第３間隔で前記明るさセンサにより前記第２領域の明るさを検知するタイミングを制御することを特徴とする請求項２に記載の無線送信装置。
【請求項４】
前記計時部は、さらに現在の曜日を判断し、前記操作部は、曜日に応じて複数組の第１時刻、第２時刻の入力が可能であり、前記タイミング制御部は、現在の曜日に応じた第１時刻及び第２時刻に基づいて、前記明るさセンサにより前記第２領域の明るさを検知するタイミングを制御することを特徴とする請求項１乃至請求項３のいずれか一項に記載の無線送信装置。
【請求項５】
電池を電源とし、人体感知センサにより人の存在を検出したときに、明るさセンサにより検出された明るさに応じた信号を照明装置に向けて送信する無線送信装置であって、
第１領域内に人の存在を検知するための人体感知センサと、
前記第１領域の少なくとも一部を含む第２領域の明るさを検知する明るさセンサと、
前記明るさセンサにより前記第２領域の明るさを検知するタイミングを制御するタイミング制御部と、
前記明るさセンサにより検知された前記第２領域の明るさを記憶する記憶部と、
現在時刻をカウントし、現在の曜日を判断する計時部と、
前記人体感知センサが前記第１領域内に人の存在を検知したときに、前記記憶部に記憶されている直前の前記第２領域の明るさに対応する所定の信号を無線により送信する無線信号送信部と、
学習モードと運用モードの動作モードを切り換える動作モード切替部を備え、
前記動作モード切替部が前記学習モードに設定されているとき、前記タイミング制御部は第１間隔で前記明るさセンサにより前記第２領域の明るさを検知するタイミングを制御し、前記記憶部は、前記人体感知センサが前記第１領域内に人の存在を検知したときに、すでに前記記憶部に記憶されている直前の前記第２領域の明るさに、さらにそのときの曜日及び時刻を関連づけて、動作履歴として記憶し、
前記動作モード切替部が前記運用モードに設定されているとき、前記タイミング制御部は、現在の曜日及び時刻と前記動作履歴を参照し、前記動作履歴に記憶されている前記人体感知センサが前記第１領域内に人の存在を検知した時刻が第１閾値以上の時間間隔で記録されているときは、前記第１間隔よりも長い第４間隔で前記明るさセンサにより前記第２領域の明るさを検知するタイミングを制御することを特徴とする無線送信装置。
【請求項６】
前記タイミング制御部は、前記動作履歴に記憶されている前記人体感知センサが前記第１領域内に人の存在を検知した時刻が前記第１閾値よりも長い第２閾値以上の時間間隔で記録されているときは、前記第４間隔よりも長い第５間隔で前記明るさセンサにより前記第２領域の明るさを検知するタイミングを制御することを特徴とする請求項５に記載の無線送信装置。
【発明の詳細な説明】
【技術分野】
【０００１】
本発明は、電池を電源とし、人体感知センサにより人の存在を検出したときに、明るさセンサにより検出された明るさに応じた信号を照明装置に向けて送信する無線送信装置に関する。
【背景技術】
【０００２】
従来から、例えば、人体から放射される熱線を人体感知センサにより検知して、照明装置に対して点灯信号を送信する無線送信装置が提案されている（特許文献１参照）。特に、リチウム電池などの長寿命電池の実用化により、１回の電池交換で長期間使用できるため、そのような無線送信装置は、事実上配線工事が不要なセンサ又はスイッチとして期待されている。
【０００３】
人体感知センサや明るさセンサは、短い間隔（例えば、１秒間隔）で所定の検知領域における人の存在や照度などの検知動作を行っている。熱線を検知するタイプの人体感知センサの場合、消費電力は非常に少ないので、常時短い間隔で人の存在の検知動作を行ってもさほど電池寿命に影響を及ぼすことはない。一方、明るさセンサは、そのタイプや感度などにもよるが、一般的に検知対象が明るいほど、より大きな電流が流れ、電池を消耗しやすい。
【０００４】
ところで、人体感知センサ及び明るさセンサを備えた無線通信装置は、常時照明装置を点け放しにするほどの人の出入りはないような場所、換言すれば、一定時間以上人の出入りが途切れるような場所に設置される。そのため、常時短い間隔で明るさを検知することは電池の消耗を早めることになり、好ましくない。特に、夜間や休日など、ほとんど人の出入りがないような時間帯又は曜日において、又は日中に外光が差し込み照明装置を点灯させる必要がない場合において、その傾向が強い。
【先行技術文献】
【特許文献】
【０００５】
【特許文献１】特開２００８−２３４９４０号公報
【発明の概要】
【発明が解決しようとする課題】
【０００６】
本発明は、上記従来例の問題を解決するためになされたものであり、電池を電源とし、人体感知センサにより人の存在を検出したときに、明るさセンサにより検出された明るさに応じた信号を照明装置に向けて送信する無線送信装置において、人体感知センサによる人の存在の検知頻度や検知領域の明るさなどに応じて、明るさセンサによる明るさ検知の間隔を変更し、それによって電池の消耗を低減することを目的とする。
【課題を解決するための手段】
【０００７】
上記目的を達成するために本発明は、電池を電源とし、人体感知センサにより人の存在を検出したときに、明るさセンサにより検出された明るさに応じた信号を照明装置に向けて送信する無線送信装置であって、
第１領域内に人の存在を検知するための人体感知センサと、
前記第１領域の少なくとも一部を含む第２領域の明るさを検知する明るさセンサと、
前記明るさセンサにより前記第２領域の明るさを検知するタイミングを制御するタイミング制御部と、
前記明るさセンサにより検知された前記第２領域の明るさを記憶する記憶部と、
現在時刻をカウントする計時部と、
少なくとも第１時刻及び第２時刻を入力するための操作部と、
前記人体感知センサが前記第１領域内に人の存在を検知したときに、前記記憶部に記憶されている直前の前記第２領域の明るさに対応する所定の信号を無線により送信する無線信号送信部を備え、
前記タイミング制御部は、現在時刻が前記操作部により入力された前記第１時刻及び前記第２時刻になったときに、前記明るさセンサにより前記第２領域の明るさを検知するタイミングを変化させることを特徴とする。
【０００８】
上記構成において、前記タイミング制御部は、前記第１時刻から前記第２時刻までの間、第１間隔で前記明るさセンサにより前記第２領域の明るさを検知するタイミングを制御し、前記第２時刻から翌日の第１時刻までの間、前記第１間隔よりも長い第２間隔で前記明るさセンサにより前記第２領域の明るさを検知するタイミングを制御することが好ましい。
【０００９】
また、前記操作部は、さらに第３時刻及び第４時刻の入力が可能であり、前記タイミング制御部は、前記第３時刻から前記第４時刻までの間、前記第１間隔又は前記第２間隔とは異なる第３間隔で前記明るさセンサにより前記第２領域の明るさを検知するタイミングを制御することが好ましい。
【００１０】
また、前記計時部は、さらに現在の曜日を判断し、前記操作部は、曜日に応じて複数組の第１時刻、第２時刻の入力が可能であり、前記タイミング制御部は、現在の曜日に応じた第１時刻及び第２時刻に基づいて、前記明るさセンサにより前記第２領域の明るさを検知するタイミングを制御することが好ましい。
【００１１】
また、本発明は、電池を電源とし、人体感知センサにより人の存在を検出したときに、明るさセンサにより検出された明るさに応じた信号を照明装置に向けて送信する無線送信装置であって、
第１領域内に人の存在を検知するための人体感知センサと、
前記第１領域の少なくとも一部を含む第２領域の明るさを検知する明るさセンサと、
前記明るさセンサにより前記第２領域の明るさを検知するタイミングを制御するタイミング制御部と、
前記明るさセンサにより検知された前記第２領域の明るさを記憶する記憶部と、
現在時刻をカウントし、現在の曜日を判断する計時部と、
前記人体感知センサが前記第１領域内に人の存在を検知したときに、前記記憶部に記憶されている直前の前記第２領域の明るさに対応する所定の信号を無線により送信する無線信号送信部と、
学習モードと運用モードの動作モードを切り換える動作モード切替部を備え、
前記動作モード切替部が前記学習モードに設定されているとき、前記タイミング制御部は第１間隔で前記明るさセンサにより前記第２領域の明るさを検知するタイミングを制御し、前記記憶部は、前記人体感知センサが前記第１領域内に人の存在を検知したときに、すでに前記記憶部に記憶されている直前の前記第２領域の明るさに、さらにそのときの曜日及び時刻を関連づけて、動作履歴として記憶し、
前記動作モード切替部が前記運用モードに設定されているとき、前記タイミング制御部は、現在の曜日及び時刻と前記動作履歴を参照し、前記動作履歴に記憶されている前記人体感知センサが前記第１領域内に人の存在を検知した時刻が第１閾値以上の時間間隔で記録されているときは、前記第１間隔よりも長い第４間隔で前記明るさセンサにより前記第２領域の明るさを検知するタイミングを制御することを特徴とする。
【００１２】
上記構成において、前記タイミング制御部は、前記動作履歴に記憶されている前記人体感知センサが前記第１領域内に人の存在を検知した時刻が前記第１閾値よりも長い第２閾値以上の時間間隔で記録されているときは、前記第４間隔よりも長い第５間隔で前記明るさセンサにより前記第２領域の明るさを検知するタイミングを制御することが好ましい。
【発明の効果】
【００１３】
本発明によれば、人の出入りの多い時間帯とそうでない時間帯、日中の比較的明るく照明装置を点灯させる頻度が低い時間帯と夜間の照明装置を点灯させる頻度が高い時間帯に応じて、明るさセンサによる明るさを検知するタイミングを制御するので、それによって電池の消耗を低減することができる。
【図面の簡単な説明】
【００１４】
【図１】本発明の一実施形態に係る無線送信装置のカバーを外した状態における構成を示す正面図。
【図２】上記無線送信装置の使用状態を示す斜視図。
【図３】上記無線送信装置の構成を示すブロック図。
【発明を実施するための形態】
【００１５】
本発明の一実施形態に係る無線送信装置について説明する。本実施形態に係る無線送信装置１は、電池を電源とし、人体感知センサにより人の存在を検出したときに、明るさセンサにより検出された明るさに応じた信号を照明装置に向けて送信するものであって、図２に示すように、例えば天井に両面粘着テープや接着剤、あるいはねじなどによって取り付けられる。壁面に設けられたスイッチ２には、無線送信装置１から送信される信号を受信するための無線信号受信部が設けられている。また、スイッチ２は天井に設けられた照明装置３に電線４を介して接続されている。
【００１６】
スイッチ２は、例えばトライアックなどの無接点スイッチ素子を用いた電子式スイッチ（負荷制御装置）であり、機械的に接点を開閉させる従来の２線式スイッチを配線工事不要で置き換えることが可能である。それに合わせて、人体感知センサ３５及び明るさセンサ３６（図３参照）を備えた無線送信装置１も配線工事不要で既存の住宅などに追加的に設置可能である。無線送信装置１とスイッチ２の間は、例えば特定小電力無線などの電波による無線送信が可能であり、人体感知センサ３５によって人の存在が検出されると、明るさセンサ３６により検出された明るさに応じた信号が送信され、センサ３６により検出された明るさが所定の閾値よりも暗いときは、スイッチ２は一定時間照明装置３を点灯させる。
【００１７】
明るさセンサ３６により検出された明るさに応じた信号としては、例えば明るさセンサ３６により検出された所定の検知領域の明るさの値が、上記所定の閾値よりも高い場合は、そのことを示す「明」信号であり、上記所定の閾値以下の場合は、そのことを示す「暗」信号であってもよい。その場合、人体感知センサ３５によって人の存在が検出されると、無線送信装置１から必ず「明」信号か又は「暗」信号のいずれかが送信される。スイッチ２は、「暗」信号を受信したときは、一定時間照明装置３を点灯させる。人体感知センサ３５によって人の存在が検出されなくなると、無線送信装置１から無線信号が出力されなくなるので、一定時間経過後、スイッチ２は照明装置３を消灯させる。なお、明るさセンサ３６により検出された明るさに応じた信号は、上記「明」信号及び「暗」信号に限定されず、人体感知センサ３５によって人の存在が検出され、かつ、明るさセンサ３６により検出された所定の検知領域の明るさの値が所定の閾値以下の場合にだけ出力される照明点灯信号であってもよい。さらに、「暗」信号又は照明点灯信号に、点灯保持時間を含めて送信するように構成されていてもよい。
【００１８】
図１に、本実施形態に係る無線送信装置１のカバーを外した状態における構成を示す。この無線送信装置１は、上記のように両面粘着テープなどによって天井に取り付けられるものであり、その筺体１０は、正面視で略円形であり、その実装面（上記両面粘着テープなどによって天井に取り付けられる面とは反対側の面）１０ａの中央に赤外線センサなどの人体感知センサ３５、照度センサなどの明るさセンサ３６で構成されたセンサ部１１が設けられている。センサ部１１は、例えば正面視円形である。また、実装面１０ａには、回路基板２０及び電池１２，１３などが実装されている。
【００１９】
回路基板２０には、センサ部１１による検出結果に応じて、上記明るさセンサ３６により検出された明るさに応じた信号を無線により送信する無線信号送信部２５と、センサ部１１及び無線信号送信部２５を制御する制御部２６と、さらにこの無線送信装置１に対して種々の設定を行う操作部２７などが設けられている。
【００２０】
操作部２７には、通常の使用モード（運用モード）、新規設定時又は設定変更時における登録モード及び必要に応じて学習モードを切り替えるための動作モード切替スイッチ２７ａ、センサ部１１の人体感知センサによる照明装置３の点灯及び消灯を自動的に制御する周囲環境の明るさ（明るさ閾値）を選択するための明るさ設定トリマ２７ｂ、人体感知センサによって人の存在が確認された後、照明装置３の点灯時間を設定するための点灯保持時間設定スイッチ２７ｃ、登録モード時に使用される電波確認スイッチ２７ｄ、現在時刻、後述する第１時刻乃至第４時刻や現在曜日などを入力するための入力ボタン２７ｅ、現在時刻や現在曜日などを表示するための表示装置２７ｆなどが設けられている。
【００２１】
図３は、無線送信装置１のブロック構成を示す。制御部２６は、ＣＰＵ、ＲＯＭ、ＲＡＭ、水晶発振子などで構成されたマイクロコンピュータを備えており、図３に示すタイミング制御部３１、記憶部３２、計時部３３、動作モード切替部３４及び信号送信判断部３７として機能する。
【００２２】
信号送信判断部３７は、明るさセンサ３６により測定された明るさが所定の閾値よりも明るいと判断されているときは上記「明」信号を送信し、明るさセンサにより測定された明るさが明るさ閾値以下であると判断されているときは、上記「暗」信号を送信するように決定する。無線信号送信部２５は、例えば電波による無線送信回路であり、発振回路などを備えており、所定の周波数の搬送電波を発振し、その搬送信号に「明」信号又は「暗」信号及び点灯保持時間などを重畳させて送信する。なお、アンテナ２５ａは、筐体１０に設けられた水平な回転軸の周りに回転可能である。
【００２３】
人体感知センサ３５は、例えば、焦電型の場合、焦電体が赤外線を受けるとその熱エネルギーを吸収して自発分極に変化が生じ、その変化量に応じて表面に電荷が誘起されるため、常時又は短い間隔で人体感知センサ３５を起動させていても、その消費電力は非常に少ない。一方、明るさセンサ３６は、例えばフォトダイオードやフォトトランジスタを用いた場合、光の検出の際に電流が流れ、かつ、検出対象の光量が多い（すなわち明るい）ときほど電流値が大きくなる。また、光を検出していないときでも暗電流が流れる。そのため、明るさセンサ３６は、人体感知センサ３５に比べて消費電力が大きく、常時又は短い間隔で明るさセンサ３６を起動させると、電池１２，１３の消耗が早くなる。
【００２４】
ところで、明るさセンサ３６による消費電力を少なくするために、人体感知センサ３５がその検知領域（第１領域）内に人の存在を検知してから、明るさセンサ３６による明るさ検出を行うことも考えられるが、そうすると、人が人体感知センサ３５の検知領域に入ってから、実際に照明装置３が点灯されるまでのタイムラグが大きくなり、照明装置３のスイッチとしての機能が低下する。従って、このタイムラグをできるだけ短くするため、明るさセンサ３６は短い間隔（例えば１秒間隔）でその検知領域（第２領域）の明るさを検知し、検知結果を記憶部３２に記憶している。なお、人体感知センサ３５がその検知領域（第１領域）と明るさセンサの検知領域（第２領域）は、必ずしも一致している必要はなく、第２領域が第１領域の少なくとも一部を含んでいれば（第１領域と第２領域が一部で重複していれば）よい。
【００２５】
信号送信判断部３７は、人体感知センサ３５がその検知領域内に人の存在を検知すると、記憶部３２に記憶されている明るさセンサ３６による直前の検知結果を読み出し、明るさセンサにより測定された明るさが所定の閾値よりも明るいと判断されているときは上記「明」信号を送信し、明るさセンサにより測定された明るさが明るさ閾値以下であると判断されているときは、上記「暗」信号を送信するように決定する。無線信号送信部２５は、例えば電波による無線送信回路であり、発振回路などを備えており、所定の周波数の搬送電波を発振し、その搬送信号に「明」信号又は「暗」信号及び点灯保持時間などを重畳させて送信する。なお、アンテナ２５ａは、筐体１０に設けられた水平な回転軸の周りに回転可能である。
【００２６】
さらに、本実施形態では、電池の消耗を抑制するために、時間帯に応じて明るさセンサ３６による明るさ検知の間隔（タイミング）を変更できるように構成されている。すなわち、タイミング制御部３１は、操作部２７によって設定された第１時刻及び第２時刻に基づいて、センサ部１１の明るさセンサ３６による明るさ検知のタイミングを制御する。一例として、オフィスビルの場合、午前７時から午後９時までの間は人の出入りが多く、午後９時から翌日の午前７時までは人の出入りがほとんどないと考えられる。従って、第１時刻として午前７時を設定し、第２時刻として午後９時（又は２１時）を設定する。そして、タイミング制御部３１は、計時部３３によりカウントされた現在時刻が第１時刻及び第２時刻になったときに明るさセンサ３６による明るさ検知のタイミングを変化させる。より具体的には、タイミング制御部３１は、第１時刻から第２時刻までの間では第１間隔（例えば１秒間隔）で明るさセンサ３６による明るさ検知のタイミングを制御し、第２時刻から翌日の第１時刻までの間では第１間隔よりも長い第２間隔（例えば５秒間隔）で明るさセンサ３６による明るさ検知のタイミングを制御する。すなわち、第１時刻及び第２時刻になったときに第１間隔と第２間隔がサイクリックに切り換えられる。それによって、人の出入りの少ない夜間において、明るさセンサ３６による電池の消耗を抑制することができる。なお、ここで示した第１時刻、第２時刻、第１間隔及び第２間隔は例示であり、これらの値に限定されるものではない。例えば、日中は人の出入りが少なく、夜間人の出入りが多いような商業施設（飲食店など）では、第１時刻として午後５時、第２時刻として午前３時などに設定してもよい。
【００２７】
さらに、この無線送信装置１は、例えば窓が設けられており、日中は外光が差し込むような場所に設置されることもあり得る。外光が差し込み明るい場合は、照明装置３を点灯させる必要がないうえに、上記のように明るさセンサ３６による電池の消耗が早くなる。そこで、上記第１時刻及び第２時刻の他に、第３時刻及び第４時刻を設定できるように構成してもよい。例えば、第３時刻として午前９時、第４時刻として午後３時などを設定し、第３時刻から第４時刻までの間、上記第１間隔（例えば１秒間隔）又は第２間隔（例えば５秒間隔）とは異なる第３間隔（例えば３秒間隔）で明るさセンサ３６による明るさ検知のタイミングを制御することができる。なお、第３時刻及び第４時刻は、第１時刻と第２時刻の間に設定してもよいし、あるいは、第２時刻と第１時刻の間に設定してもよい。さらに、第３間隔は、第１間隔及び第２間隔のいずれか一方と同じであってもよいし、第１間隔及び第２間隔のいずれとも異なっていてもよい。また、第３時刻及び第４時刻は、季節に応じて随時変更しうることは言うまでもない。それによって、日中における明るさセンサ３６による電池の消耗を抑制することができる。
【００２８】
さらに、曜日によって異なる第１時刻及び第２時刻を設定できるように構成してもよい。例えばオフィスビルの場合、平日は、上記のように第１時刻として午前７時を設定し、第２時刻として午後９時（又は２１時）を設定し、休日（土曜、日曜）は、第１時刻として午前９時、第２時刻として午後６時（又は１８時）を設定してもよい。なお、計時部３３は、現在時刻のカウントだけでなく現在曜日も判断する。また、ユーザの業種（例えば平日に休業するサービス業など）に応じて任意の曜日の第１時刻及び第２時刻を任意の時刻に設定しうることは言うまでもない。それによって、人の出入りの少ない曜日における明るさセンサ３６による電池の消耗を抑制することができる。
【００２９】
さらに、上記操作部２７により現在日時を入力可能とし、記憶部３２にカレンダーを記憶させておいてもよい。それによって、土曜及び日曜の他、祝祭日においても、人の出入りの少ない曜日及び時間帯における明るさセンサ３６による電池の消耗を抑制することができる。さらに、上記第１時刻乃至第４時刻は操作部２７の入力ボタン２７ｅ及び表示装置２７ｆを用いてユーザが設定することを前提として説明したが、カレンダー機能を利用して、季節及び曜日に応じて第１時刻乃至第４時刻を自動的に変更できるように構成してもよい。あるいは、ユーザの要求に応じて、あらかじめ種々の設定を施した無線送信装置１を受注出荷するようにしてもよい。
【００３０】
次に、この無線送信装置１の変形例について説明する。動作モード切替部３４は、通常の運用モードとテストモード（又は登録モード）及び学習モードを備えており、動作モード切替スイッチ２７ａを操作することによって、いずれかのモードに切り替えられる。あるいは、動作モード切替スイッチ２７ａを運用モードに切り換えると、最初に一定期間学習モードが実行され、その後、自動的に通常の運用モードに切り換えられるように構成してもよい。
【００３１】
テストモードは、この無線送信装置１を新規に設置する場合又は電波環境が変化したことに起因して設定を変更する場合に、動作モード切替スイッチ２７ａをテストモード側に切り替えることにより実行される。動作モード切替スイッチ２７ａがテストモード側に切り替えられ、電波確認スイッチ２７ｄが操作されると、制御部２６は、無線信号送信部２５から送信される所定の検出信号などの電波の強度を、通常の使用モード時における電波の強度よりも弱い強度に切り替え、所定の検出信号を出力する。所定の検出信号が外部装置（スイッチ２）によって受信されると、負荷がオンされる（例えば、照明装置３が点灯される）ので、この無線送信装置１と外部装置（スイッチ２）との間で信号の送受信可能であることが確認できる。
【００３２】
学習モードは、上記テストモードの完了後、動作モード切替スイッチ２７ａを運用モード側又は学習モード側に切り替えることにより実行され、一定期間、例えば１週間、２週間又は４週間の間における動作履歴を収集するために行われる。学習モード中、タイミング制御部３１は、上記第１間隔で明るさセンサ３６によりその検知領域（第２領域）の明るさを検知するタイミングを制御する。記憶部３２は、人体感知センサ３５がその検知領域（第１領域）内に人の存在を検知すると、そのときすでに前記記憶部に記憶されている直前の検知結果、（第２領域の明るさ）に、さらにそのときの曜日及び時刻を関連づけて、動作履歴として記憶する。
【００３３】
人の出入りが頻繁に行われる時間帯では、人体感知センサ３５は、例えば数分又は十数分程度の間隔で、その検知領域内に人の存在を検知する。一方、人の出入りが頻繁に行われない時間帯では、人体感知センサ３５は、例えば数十分又は数時間程度の間隔で、その検知領域内に人の存在を検知する。従って、運用モードでは、タイミング制御部３１は、現在の曜日及び時刻と動作履歴を参照し、動作履歴に記憶されている人体感知センサがその検知領域（第１領域）内に人の存在を検知した時刻が第１閾値（例えば２０分）以上の時間間隔で記録されているときは、人の出入りがさほど頻繁に行われない時間帯であると判断できるので、第１間隔（例えば１秒間隔）よりも長い第４間隔（例えば３秒間隔）で明るさセンサ３６によりその検知領域（第２領域）の明るさを検知するタイミングを制御する。
【００３４】
さらに、タイミング制御部３１は、動作履歴に記憶されている前記人体感知センサがその検知領域（第１領域）内に人の存在を検知した時刻が、上記第１閾値（例えば２０分）よりも長い第２閾値（例えば４０分）以上の時間間隔で記録されているときは、第４間隔（例えば３秒間隔）よりも長い第５間隔（例えば５秒間隔）で、明るさセンサ３６によりその検知領域（第２領域）の明るさを検知するタイミングを制御するように構成してもよい。
【００３５】
この変形例によれば、ユーザが上記第１時刻及び第２時刻などを設定することなく、タイミング制御部３１が学習モード中に収集した動作履歴を参照し、現在曜日及び現在時刻に基づいて明るさセンサ３６によりその検知領域（第２領域）の明るさを検知するタイミングを切り換えることができるので、ユーザを第１時刻及び第２時刻などを設定する煩わしさから解放することができる。
【符号の説明】
【００３６】
１  無線送信装置
２  スイッチ
３  照明装置
１０  筐体
１１  センサ部
１２，１３  電池
２５  無線信号送信部
２６  制御部
２７  操作部
３１  
３２  記憶部
３３  計時部
３４  動作モード切替部
３５  人体感知センサ
３６  明るさセンサ
３７  信号送信判断部
【図１】
2011204631.tif 000003
【図２】
2011204631.tif 000004
【図３】
2011204631.tif 000005